(57)【特許請求の範囲】
【請求項１】
下地材上に笠木取付金具を介して笠木を取り付けた構造であって、
笠木取付金具は、長板状の鋼板の両側を折り曲げて断面略コ字状に形成され、中央が当接部、両端が係合部となされ、当接部には上方に膨出して弾性力を発揮するバネ部が設けられ、係合部には舌部が延設されてなり、
下地材上に笠木取付金具の当接部をビス固定した状態で、この下地材上に笠木が被覆されることによって、笠木の内天面を付勢するバネ部の弾性力に抗して、笠木の内側面の下端段部の内側に係合部が係合するようになされるとともに、この係合部から延設された舌部を利用して笠木取付金具の係合部と笠木との係合を離脱できるように、笠木の内側面の下端段部の内側に舌部が位置するようになされたことを特徴とする笠木の取付構造。
【請求項２】
笠木取付金具は、係合部の中央部分に凹部が設けられ、この凹部の幅に等しい間隔で、この対向する係合部の凹部間をつなぐように平行して水密材が設けられ、この水密材同士の間に笠木の継ぎ目が位置してシール材で止水されてなる請求項１記載の笠木の取付構造。
【発明の詳細な説明】
【０００１】
【発明の属する技術分野】
本発明は、下地材上に固定され、この下地材上に笠木を取り付けるための取付金具を用いた笠木の取付構造に関するものである。
【０００２】
【従来の技術】
一般に、建物の屋上やバルコニーのパラペットの上縁や、階段などに設けられる手摺りの上縁に、笠木を設ける場合、下地材上に笠木取付金具を介して笠木を取り付けることが行われている。
【０００３】
従来より、このような下地材上に、笠木を取り付ける場合、図６に示すような笠木取付金具ａを使用することが行われている。
【０００４】
すなわち、この笠木取付金具ａは、鋼板を折り曲げ形成したもので、笠木ｂの内天面ｃに当接する当接部ｄと、この当接部ｄの両側に延設され、笠木ｂの内側面ｅの下端部ｆに係合する係合部ｇとによって構成されていた。
【０００５】
この笠木取付金具ａは、笠木取付下地ｈにビスｉで固定しておき、この笠木取付下地ｈに笠木ｂを被せることで、笠木ｂの内天面ｃが当接部ｄに当接し、笠木ｂの内側面ｅが係合部ｇに係合することとなる。
【０００６】
この笠木取付金具ａは、笠木ｂの内側面にドライバーなどを差し込んでこの笠木ｂの内側面ｅの下端部ｆに係合している係合部ｇを離脱させることで笠木ｂの取り外しが行えるようになされていた（例えば、特開平８−２６０６４３号公報参照）。
【０００７】
【発明が解決しようとする課題】
しかし、上記従来の笠木取付金具ａの場合、係合部ｇが笠木ｂの内側面ｅの下端部ｆに係合しているといっても、実際は笠木ｂの内側面ｅの中央部付近で係合している場合が多い。また、笠木ｂの内側面ｅと立ち上がり壁ｊとの間に充分な間隙が設けられていないのが常である。
【０００８】
したがって、ドライバーなどを差し込んで笠木ｂの内側面ｅから係合部ｄを離脱させるのが非常に困難となり、笠木ｂの取り外し作業を容易に行うことができないといった不都合を生じることとなる。
【０００９】
本発明は、係る実情に鑑みてなされたものであって、笠木の着脱作業を容易に行うことができる笠木の取付構造を提供することを目的としている。
【００１０】
【課題を解決するための手段】
上記課題を解決するための本発明の笠木の取付構造は、下地材上に笠木取付金具を介して笠木を取り付けた構造であって、笠木取付金具は、長板状の鋼板の両側を折り曲げて断面略コ字状に形成され、中央が当接部、両端が係合部となされ、当接部には上方に膨出して弾性力を発揮するバネ部が設けられ、係合部には舌部が延設されてなり、下地材上に笠木取付金具の当接部をビス固定した状態で、この下地材上に笠木が被覆されることによって、笠木の内天面を付勢するバネ部の弾性力に抗して、笠木の内側面の下端段部の内側に係合部が係合するようになされるとともに、この係合部から延設された舌部を利用して笠木取付金具の係合部と笠木との係合を離脱できるように、笠木の内側面の下端段部の内側に舌部が位置するようになされたものである。また、この笠木の取付構造において、笠木取付金具は、係合部の中央部分に凹部が設けられ、この凹部の幅に等しい間隔で、この対向する係合部の凹部間をつなぐように平行して水密材が設けられ、この水密材同士の間に笠木の継ぎ目が位置してシール材で止水されてなるものである。
【００１１】
【発明の実施の形態】
以下、本発明の実施の形態を図面を参照して説明する。
【００１２】
図１ないし図３は笠木取付金具１の全体構成の概略を示し、図４は同笠木取付金具１の使用状態を示している。
【００１３】
すなわち、この笠木取付金具１は、当接部１１の両端に係合部１２が設けられるとともに、係合部１２から舌部１３が延設されている。
【００１４】
笠木取付金具１は、長板状の鋼板の両側を折り曲げて断面略コ字状に形成され、中央が当接部１１、両端が係合部１２となされている。
【００１５】
当接部１１は、両側の長手方向に沿ってそれぞれ溝部１４が設けられ、剛性の向上が図られている。これらの溝部１４内には、笠木取付金具１を下地材２にビス２１で固定するためのビス孔１５と、笠木取付金具１の取付位置を確認するための刻印１６とが設けられている。ビス孔１５は、笠木取付金具１の位置調整が可能なように、いずれも長孔となされている。
【００１６】
また、当接部１１には、上方に膨出して弾性力を発揮するようになされたバネ部１７が設けられている。このバネ部１７は、溝部１４に隣接してそれぞれ三箇所ずつに設けられている。このうち、バネ部１７の一部には、バーリング加工によって上方に円筒状に突出した突出部１８が設けられている。この突出部１８は、当接部１１上に笠木３を被せた際に、バネ部１７に働く弾性力によって笠木３の内天面３１に食い込み笠木取付金具１と笠木３とを一体化するように働く。
【００１７】
係合部１２は、当接部１１に対して斜め下方に屈曲されており、その両側縁が若干内側へさらに屈曲されて係合部１２の剛性が高められている。
【００１８】
また、係合部１２の中央部には凹部１９が設けられ、この凹部１９から下方に舌部１３が延設されている。
【００１９】
このようにして構成される笠木取付金具１は、凹部１９の幅に等しい間隔で、この対向する係合部１２の凹部１９間をつなぐように平行して水密材１０が設けられている。
【００２０】
この笠木取付金具１は、図４に示すように、下地材２上に、躯体２２および壁体２３を被覆する捨水切２４を設け、この捨水切２４上にビス２１で固定される。そして、この笠木取付金具１を固定した下地材２の表面に笠木３を被覆する。これにより、笠木取付金具１の当接部１１のバネ部１７が笠木３の内天面３１に当接され、このバネ部１７によって働く弾性力で、突出部１８が笠木３の内天面３１に食い込んで笠木取付金具１と笠木３とが一体化することとなる。また、係合部１２は、バネ部１７に働く弾性力に抗して、笠木３の内側面３２の下端段部３３に係合することとなり、下地材２に笠木３が取り付けられる。
【００２１】
そして、この下地材２から笠木３を離脱する場合は、笠木３の内側面３２にドライバー４などを差し込んで、このドライバー４を、内側面３２の下端段部３３の内側に位置する舌部１３に引っかけることで、係合部１２の係合を容易に解除することができる。
【００２２】
また、笠木３の継ぎ目がある場合は、図５に示すように、水密材１０同士の間に笠木３の継ぎ目を位置させてシール材３０で止水する。この場合、シール材３０が破れて雨水５などが浸入するようなことがあっても、雨水５は、当接部１１から係合部１２へと流れ、凹部１９から排水されることとなるので、優れた防水性が得られる。
【００２３】
なお、本実施の形態では、舌部１３は、笠木３の内側に納まり、ドライバー４などを差し込んで引っかけることで係合離脱させるようになされているが、この舌部１３の形状としては、特にこのようなドライバー４を使用しなければ係合離脱させることができないようなものに限定されるものではなく、例えば、舌部１３の延設方向が、壁体２３側に向けて少し折り曲げ角度が強められ、容易に係合離脱させることができるようになされたものであっても良い。また、この場合、ドライバー４を使用せず、笠木３の内側に指を入れて引っかけることができるようになされた形状の舌部１３であっても良い。また、笠木３の内側に納まらず、舌部１３の一部分が笠木３の外側に突出するようになされた舌部１３であっても良い。
【００２４】
また、本実施の形態では、係合部１２の中央部に凹部１９を設け、この凹部１９から舌部１３を延設させているが、この舌部１３を設ける位置としては、特に係合部１２の中央部に限定されるものではなく、係合部１２の側部に設けられたものであっても良い。この場合、凹部１９は、あっても良いし、無くても良い。また、舌部１３は、係合部１２と一体となされているが、別部材としてリベット止めなどによって固定されたものであっても良いし、係合部１２に切込みを設け、この切込みを設けた部分を折り曲げて舌部１３を形成しても良い。
【００２５】
さらに、本実施の形態では、係合部１２は、当接部１１の両端からそれぞれ同じ形状で延設されているが、笠木３に係合する形状の係合部１２であれば、特にこのような係合部１２の形状に限定されるものではなく、一方の係合部１２が長く、他方の係合部１２が短いといった具合に、異なった長さの係合部１２であっても良い。
【００２６】
【発明の効果】
以上述べたように、本発明によると、笠木の内側面の下端部に係合する係合部から舌部を延設しているので、下地材から笠木を取り外す際に笠木の内側面にドライバーなどを差し込んだ際、この舌部が案内片的な役割を果たし、笠木の内側面から係合部を簡単に離脱させることができる。したがって、笠木の着脱作業を容易に行うことができる。
【図面の簡単な説明】
【図１】  本発明に係る笠木の取付構造に用いられる笠木取付金具の全体構成の概略を示す平面図である。
【図２】  本発明に係る笠木の取付構造に用いられる笠木取付金具の全体構成の概略を示す側面図である。
【図３】  本発明に係る笠木の取付構造に用いられる笠木取付金具の全体構成の概略を示す正面図である。
【図４】  本発明に係る笠木の取付構造を示す部分側断面図である。
【図５】  本発明に係る笠木の取付構造を示す部分断面図である。
【図６】  （ａ）および（ｂ）は従来の笠木取付金具を示す斜視図および側面図である。
【符号の説明】
１  笠木取付金具
１２  係合部
１３  舌部
１９  凹部
２  下地材
３  笠木
３２  内側面
３３  下端部
【図１】
0003638446.tif 000002
【図２】
0003638446.tif 000003
【図３】
0003638446.tif 000004
【図４】
0003638446.tif 000005
【図５】
0003638446.tif 000006
【図６】
0003638446.tif 000007